(57)【要約】【課題】コンベア装置の配置変更に際し、ヘッドまたはテールの配置位置を所定に位置させつつ荷を効率良く搬送できるコンベア装置を提供する。【解決手段】このコンベア装置１は、二基以上のコンベアフレーム１０と、コンベアフレーム１０に沿って荷を搬送可能に設けられるコンベアベルト５０と、二基以上のコンベアフレーム１０のうち隣接して配置されるコンベアフレーム１０相互を相互の端部の位置でコンベア設置面に対して直交する軸まわりに回動可能に連結する屈伸部７０と、を備える。屈伸部７０は、隣接されたコンベアフレーム１０相互を相互の端部の位置で回動可能に支持する回動支軸７２と、回動支軸７２に設けられてコンベアベルト５０をコンベアフレーム１０に沿って循環させる往路用プーリ７５および復路用プーリ７６と、を有する。【選択図】図１
2020055688.tif 000002
【特許請求の範囲】
【請求項１】
二基以上のコンベアフレームと、前記コンベアフレームに沿って荷を搬送可能に設けられるコンベアベルトと、前記二基以上のコンベアフレームのうち隣接して配置されるコンベアフレーム相互を相互の端部の位置にてコンベア設置面に対して直交する軸まわりで回動可能に連結する屈伸部と、を備えることを特徴とするコンベア装置。
【請求項２】
前記屈伸部は、前記隣接されたコンベアフレーム相互を相互の端部の位置にてコンベア設置面に対して直交する軸まわりで回動可能に支持する回動支軸と、該回動支軸に設けられて前記コンベアベルトを前記コンベアフレームに沿って循環させる往路用プーリおよび復路用プーリと、を有する請求項１に記載のコンベア装置。
【請求項３】
前記屈伸部は、前記回動支軸を駆動する駆動部を更に有する請求項２に記載のコンベア装置。
【請求項４】
前記コンベアベルトは、前記二基以上のコンベアフレーム全体に掛け回される無端状ベルトであり、自身幅方向で二つ折りされて横断面視が紡錘形状とされた屈曲状態で前記往路用プーリに自身上縁部が支持されるように巻回されるとともに前記復路用プーリに自身上縁部が支持されるように巻回され、さらに、当該コンベア装置のヘッドとテールそれぞれの折り返し位置およびその近傍のいずれかで自身幅方向に展開された展開状態で循環するように掛け回される請求項２または３に記載のコンベア装置。
【請求項５】
前記屈伸部に対して、隣接されたコンベアフレーム相互を屈伸部の位置で支持する支持台車を有する請求項１〜４のいずれか一項に記載のコンベア装置。
【請求項６】
前記支持台車は、ケーブルの巻回によって移動可能に構成されている請求項５に記載のコンベア装置。
【請求項７】
前記コンベアフレームは、少なくとも三基が設けられるとともに複数の前記屈伸部の位置で折り返された千鳥姿勢で斜面に沿って配置され、各屈伸部の位置には、前記支持台車がそれぞれ配置されており、
前記複数の支持台車は、前記千鳥姿勢に対して、斜面に沿って一方の側に並ぶ屈伸部を支える第一の台車と、斜面に沿って他方の側に並ぶ屈伸部を支える第二の台車と、を有し、
前記第一の台車は、斜面の上下方向に形成された軌道上に沿って移動可能に設けられ、
前記第二の台車は、前記第一の台車が移動したとき、前記千鳥姿勢に折り返された前記複数のコンベアフレームの折り返し角度が変わったときに、前記斜面に沿って移動するとともに第一の台車用の軌道の延在方向と直交する方向にも移動可能に設けられている請求項５または６に記載のコンベア装置。
【請求項８】
請求項１〜７のいずれか一項に記載のコンベア装置と、バッチャプラントと、該バッチャプラントからダム堤体に至るインクライン斜面に沿って設けられてスプレッダが装備されたインクライン設備と、を備え、
前記二基以上のコンベアフレームは、前記屈伸部の位置で折り返された姿勢で前記インクライン斜面に沿って屈伸可能に配置されることを特徴とするダム堤体の施工システム。
【請求項９】
請求項１〜７のいずれか一項に記載のコンベア装置を用い、
前記二基以上のコンベアフレームを、前記屈伸部の位置で折り返された姿勢で、バッチャプラントからダム堤体に至るインクライン斜面に沿って屈伸可能に配置して堤体の施工に供する荷を搬送することを特徴とするダム堤体の施工方法。
【発明の詳細な説明】
【技術分野】
【０００１】
本発明は、例えばダム堤体の施工時に、バッチャプラントからインクライン斜面を利用してＣＳＧ混合物を搬送する際に好適に用い得る、コンベア装置およびこれを備えるダム堤体の施工システム並びにダム堤体の施工方法に関する。
【背景技術】
【０００２】
近年、ダム本体工事において、ＣＳＧ工法が採用された台形ＣＳＧダムが施工されている（例えば特許文献１参照）。
ＣＳＧ工法は、財団法人ダム技術センタが開発した工法であり、ダム本体工事においては、設計・施工・材料の合理化が重要であるところ、台形ＣＳＧダムについては、現地で採取できる砂礫に水とセメントを混合した材料（以下、「ＣＳＧ混合物」ともいう）を用い、このＣＳＧ混合物を台形状に積層して堤体を構築することにより、例えば重力式コンクリートダムに比べ、材料採集の簡便化およびコスト削減を実現している。
【先行技術文献】
【特許文献】
【０００３】
【特許文献１】特開２００５−１６３２８３号公報
【特許文献２】特開平３−１９５６１６号公報
【特許文献３】特開２０１８−２４０４号公報
【発明の概要】
【発明が解決しようとする課題】
【０００４】
ここで、台形ＣＳＧダムでは、スランプの無いＣＳＧ混合物による打設がなされるため、ＣＳＧ混合物の品質管理が容易になる。但し、台形ＣＳＧダムは、従来のコンクリート重力ダムに比べて、ダム堤体の施工に使用されるＣＳＧ混合物が多量に必要になる。そのため、堤体施工の際に、堤体が段階的に積層されていく工程に応じてコンベア装置の配置変更を行いつつ、ＣＳＧ混合物を如何に効率良く搬送できるか否かが一層重要な課題となる。
【０００５】
これに対し、例えば特許文献２に記載の技術では、斜面に沿って屈曲可能に連結された複数のコンベアフレームによりベルトコンベアを構成している。そして、ベルトコンベア全体をその延長状態を維持したまま斜面に沿って移動可能に構成している。そのため、ダム堤体が段階的に積層されていく工程に応じて、コンベア装置の配置変更が可能である。
【０００６】
しかしながら、同文献記載の技術は、ベルトコンベア全体を、その延長状態を維持したまま斜面に沿って移動する構成なので、ベルトコンベアのヘッドまたはテールの配置位置を一定に管理することが困難である。
よって、例えばＣＳＧ工法に適用する場合に、ダム堤体が段階的に積層されていく工程に応じて、ヘッドまたはテールの配置位置を所定に位置させつつＣＳＧ混合物等の荷を効率良く搬送する上で改善の余地がある。
【０００７】
そこで、本発明は、このような問題点に着目してなされたものであって、ヘッドまたはテールの配置位置を所定に位置させつつ荷を効率良く搬送できる、コンベア装置およびこれを備えるダム堤体の施工システム並びにダム堤体の施工方法を提供することを課題とする。
【課題を解決するための手段】
【０００８】
上記課題を解決するために、本発明の一態様に係るコンベア装置は、二基以上のコンベアフレームと、前記コンベアフレームに沿って荷を搬送可能に設けられるコンベアベルトと、前記二基以上のコンベアフレームのうち隣接して配置されるコンベアフレーム相互を相互の端部の位置にてコンベア設置面に対して直交する軸まわりで回動可能に連結する屈伸部と、を備えることを特徴とする。
【０００９】
本発明の一態様に係るコンベア装置によれば、二基以上のコンベアフレームのうち、隣接して配置されるコンベアフレーム相互を相互の端部の位置にてコンベア設置面に対して直交する軸まわりで回動可能に連結する屈伸部を備えるので、コンベアベルトをコンベアフレームに沿って循環させつつ、屈伸部によって隣接して配置されるコンベアフレーム相互の配置姿勢をコンベア設置面に沿って屈伸させることができる。そのため、ヘッドまたはテールの配置位置を所定に位置させつつ荷を効率良く搬送できる。
【００１０】
ここで、本発明の一態様に係るコンベア装置において、前記屈伸部は、前記隣接されたコンベアフレーム相互を相互の端部の位置にてコンベア設置面に対して直交する軸まわりで回動可能に支持する回動支軸と、該回動支軸に設けられて前記コンベアベルトを前記コンベアフレームに沿って循環させる往路用プーリおよび復路用プーリと、を有することは好ましい。
このような構成であれば、この屈伸部によって、往路用プーリおよび復路用プーリでコンベアベルトをコンベアフレームに沿って循環させつつ、隣接して配置されるコンベアフレーム相互の配置姿勢をコンベア設置面に対して直交する回動支軸まわりに屈伸できる。そのため、ヘッドまたはテールの配置位置を所定に位置させつつ荷を効率良く搬送する上で好適である。
【００１１】
また、本発明の一態様に係るコンベア装置において、前記屈伸部は、前記回動支軸を駆動する駆動部を更に有することは好ましい。このような構成であれば、コンベアベルトを循環可能に配置しつつ屈伸部の回動支軸を駆動できるので、駆動部を分散配置してコンベアベルトの最大張力を下げる上で好適である。
【００１２】
また、本発明の一態様に係るコンベア装置において、前記コンベアベルトは、前記二基以上のコンベアフレーム全体に掛け回される無端状ベルトであり、自身幅方向で二つ折りされて横断面視が紡錘形状とされた屈曲状態で前記往路用プーリに自身上縁部が支持されるように巻回されるとともに前記復路用プーリに自身上縁部が支持されるように巻回され、さらに、当該コンベア装置のヘッドとテールそれぞれの折り返し位置およびその近傍のいずれかで自身幅方向に展開された展開状態で循環するように掛け回されることは好ましい。
【００１３】
このような構成であれば、荷を連続搬送する際に、コンベアベルトが、自身幅方向で二つ折りされて横断面視が紡錘形状とされた屈曲状態で搬送方向に沿って往路用プーリに順に自身上縁部が支持されるように巻回されているので、例えば急こう配での搬送に際しても荷こぼれを確実に防止できる。そのため、例えばダム堤体の施工に適用する時に、バッチャプラントからインクライン斜面を利用してＣＳＧ混合物を搬送する際に好適である。
【００１４】
また、本発明の一態様に係るコンベア装置において、前記屈伸部に対して、隣接されたコンベアフレーム相互を屈伸部の位置で支持する支持台車を有することは好ましい。また、前記支持台車は、ケーブルの巻回によって移動可能に構成されていることは好ましい。このような構成であれば、屈伸部を、隣接されたコンベアフレーム相互を相互の端部の位置で回動可能に連結するとともに所望する方向に沿って屈伸させる構成として好適である。
【００１５】
特に、本発明の一態様に係るコンベア装置において、前記コンベアフレームは、少なくとも三基が設けられるとともに複数の前記屈伸部の位置で折り返された千鳥姿勢で斜面に沿って配置され、各屈伸部の位置には、前記支持台車がそれぞれ配置されており、前記複数の支持台車は、前記千鳥姿勢に対して、斜面に沿って一方の側に並ぶ屈伸部を支える第一の台車と、斜面に沿って他方の側に並ぶ屈伸部を支える第二の台車と、を有し、前記第一の台車は、斜面の上下方向に形成された軌道上に沿って移動可能に設けられ、前記第二の台車は、前記第一の台車が移動したとき、前記千鳥姿勢に折り返された前記複数のコンベアフレームの折り返し角度が変わったときに、前記斜面に沿って移動するとともに第一の台車用の軌道の延在方向と直交する方向にも移動可能に設けられていることは好ましい。
【００１６】
つまり、複数の屈伸部にて屈伸して千鳥姿勢に支持する複数のコンベアフレームを伸縮する際、千鳥姿勢の幅員が変わることになるものの、このような構成であれば、コンベアフレームの一方側の屈伸部を基準支持端とし、他方側の屈伸部をスライド移動可能な自由支持端とすることで幅員変動に対応できる。
【００１７】
また、上記課題を解決するために、本発明の一態様に係るダム堤体の施工システムは、本発明のいずれか一の態様に係るコンベア装置と、バッチャプラントと、該バッチャプラントからダム堤体に至るインクライン斜面に沿って設けられてスプレッダが装備されたインクライン設備と、を備え、前記二基以上のコンベアフレームは、前記屈伸部の位置で折り返された姿勢で前記インクライン斜面に沿って屈伸可能に配置されることを特徴とする。
【００１８】
本発明の一態様に係るダム堤体の施工システムによれば、インクライン設備の付帯設備としてインクライン斜面に沿って配置された、本発明のいずれか一の態様に係るコンベア装置を備えるので、ダム堤体の施工において、ヘッドまたはテールの配置位置を所定に位置させつつ荷を効率良く搬送できる。よって、施工効率を向上させるとともに施工コストを低減させることができる。
【００１９】
また、上記課題を解決するために、本発明の一態様に係るダム堤体の施工方法は、本発明のいずれか一の態様に係るコンベア装置を用い、前記二基以上のコンベアフレームを、前記屈伸部の位置で折り返された姿勢で、バッチャプラントからダム堤体に至るインクライン斜面に沿って屈伸可能に配置して堤体の施工に供する荷を搬送することを特徴とする。
【００２０】
本発明の一態様に係るダム堤体の施工方法によれば、本発明のいずれか一の態様に係るコンベア装置を用いてダムの堤体施工に供する荷を搬送するので、ヘッドまたはテールの配置位置を所定に位置させつつ荷を効率良く搬送できる。よって、ダム堤体の施工において、施工効率を向上させるとともに施工コストを低減させることができる。
【発明の効果】
【００２１】
上述のように、本発明によれば、ヘッドまたはテールの配置位置を所定に位置させつつ荷を効率良く搬送できる。
【図面の簡単な説明】
【００２２】
【図１】本発明に係るコンベヤ装置を備えるダム堤体の施工システムの一実施形態を示す模式的斜視図であり、同図は、千鳥搬送部が伸長された伸長状態のイメージを示している。
【図２】図１に示すコンベヤ装置の複数のコンベアフレームによって構成される千鳥搬送部（伸長状態）を示す模式的斜視図である。
【図３】図１に示すコンベヤ装置の屈伸部を説明する図であり、（ａ）は図２でのＸ−Ｘ部分の模式的断面図、（ｂ）は（ａ）でのＡ部拡大図である。
【図４】図１に示すコンベヤ装置の搬送案内部を説明する図であり、同図は図２でのＹ−Ｙ部分の模式的断面図を示している。
【図５】図１に示すコンベヤ装置の、ヘッドの折り返し部（バッチャプラント内）を説明する模式的平面図である。
【図６】本発明に係るコンベヤ装置を備えるダム堤体の施工システムの一実施形態を示す模式的斜視図であり、同図は、千鳥搬送部が短縮された状態のイメージを示している。
【図７】図１に示すコンベヤ装置の複数のコンベアフレームによって構成される千鳥搬送部（短縮状態）を示す模式的斜視図である。
【図８】インクライン斜面に沿って配置されたコンベヤ装置の複数のコンベアフレームによって構成される千鳥搬送部による屈伸動作を説明する模式的平面図である。
【図９】比較例のコンベヤ装置を備えるダム堤体の施工システムの一例を示す模式的斜視図である。
【図１０】従来のコンベヤ装置を備えるダム堤体の施工システムの一例を示す模式的斜視図である。
【図１１】本発明に係るコンベヤ装置の屈伸部における他の実施形態を説明する図であり、同図（ａ）はその要部の模式的平面図、（ｂ）は正面図、（ｃ）は側面図である。
【発明を実施するための形態】
【００２３】
以下、本発明の一実施形態について、図面を適宜参照しつつ説明する。本実施形態は、本発明に係るコンベア装置を備えるダム堤体の施工システムの例であって、バッチャプラントから堤体に至るインクライン斜面に沿って配置された、本実施形態のコンベア装置を用いてダムの堤体を施工する例である。
【００２４】
また、本実施形態のダムは台形ＣＳＧダムの例であり、本実施形態の施工システムでは、本実施形態のコンベア装置を用いて砂礫、結合材および水が混合されたＣＳＧ混合物を搬送する搬送工程と、その搬送されたＣＳＧ混合物を敷均する敷均工程と、その敷均されたＣＳＧ混合物を締め固める締固工程と、を繰り返すことによりＣＳＧ混合物を層状に積み上げて台形ＣＳＧダムの堤体を施工する例である。
【００２５】
なお、図面は模式的なものである。そのため、厚みと平面寸法との関係、比率等は現実のものとは異なることに留意すべきであり、図面相互間においても互いの寸法の関係や比率が異なる部分が含まれている。また、以下に示す実施形態は、本発明の技術的思想を具体化するための装置や方法を例示するものであって、本発明の技術的思想は、構成部品の材質、形状、構造、配置等を下記の実施形態に特定するものではない。
【００２６】
図１に示すように、本実施形態のダム堤体の施工システムは、インクライン斜面Ｓに対し、斜面上部から順に、バッチャプラントＢと、本実施形態のコンベア装置１と、スプレッダＣと、が装備されたインクライン設備Ｌを備える。インクライン斜面Ｓには、バッチャプラントＢからダムの堤体Ｔに至る斜面に沿ってレールが敷設され、不図示の駆動機器を駆動して、インクライン斜面Ｓに沿ってスプレッダＣを昇降可能に構成されている。
【００２７】
コンベア装置１は、複数のコンベアフレーム１０Ａ〜１０Ｆを有する。複数のコンベアフレーム１０Ａ〜１０Ｆは、複数の屈伸部７０Ａ〜７０Ｆの位置で折り返された千鳥姿勢Ｚで、バッチャプラントＢから堤体Ｔに至るインクライン斜面Ｓに沿って配置される。コンベアフレーム１０Ａ〜１０Ｆには、コンベアフレーム１０Ａ〜１０Ｆに沿ってＣＳＧ混合物を搬送可能にコンベアベルト５０が掛け回されている。
【００２８】
詳しくは、コンベヤ装置１は、同図に示すように、インクライン斜面Ｓの上側に位置するヘッド部４１と、インクライン斜面Ｓの下側に位置するテール部４２と、ヘッド部４１とテール部４２との間に相互を繋ぐように設けられた千鳥搬送部４０と、を有する。
千鳥搬送部４０は、インクライン斜面Ｓに沿って複数のコンベアフレーム１０Ａ〜１０Ｆが千鳥状に延在配置されることで構成されている。
つまり、本実施形態では、インクライン斜面Ｓが「コンベア設置面」に対応する面になっている。インクライン斜面Ｓの上部に位置するヘッド部４１は、千鳥状の搬送経路に対し、傾斜姿勢でバッチャプラントＢのプラント内まで延設されている。
【００２９】
コンベアベルト５０は、コンベヤ装置１のヘッド部４１およびテール部４２と複数のコンベアフレーム１０Ａ〜１０Ｆとに掛け回される無端状ベルトである。コンベアベルト５０は、自身幅方向で二つ折りされて横断面視が紡錘形状とされた屈曲状態で往路用プーリ７５に自身上縁部５２が支持されるように巻回されるとともに復路用プーリ７６に自身上縁部５２が支持されるように巻回されている。
【００３０】
ヘッド部４１およびテール部４２では、コンベヤベルト５０は、インクライン斜面Ｓの斜面方向に延びる千鳥搬送部４０における搬送方向の上方側及び下方側のそれぞれ折り返し位置で折り返され、それぞれの折り返し位置（またはその近傍）で自身幅方向に展開（または拡幅）された展開状態で循環するように掛け回されている。また、テール側折り返しプーリ４２及びヘッド側折り返しプーリ４１は、ヘッド部４１およびテール部４２それぞれの折り返し位置でコンベヤベルト５０を張設するように支持している。
【００３１】
ここで、このコンベヤ装置１は、同図に示すように、千鳥搬送部４０において、複数のコンベアフレーム１０Ａ〜１０Ｆが、インクライン斜面Ｓの斜面方向に延びる千鳥状の搬送経路を構成している。千鳥状の搬送経路は、折り返し点Ｐ１〜Ｐ６を形成する屈伸部７０を有する。屈伸部７０は、二基以上のコンベアフレーム１０のうち、隣接して配置されるコンベアフレーム１０相互を相互の端部の位置で回動可能に連結するように設けられる。
【００３２】
本実施形態の屈伸部７０は、各折り返し点Ｐ１〜Ｐ６において同様な構成を有するので、以下、一の屈伸部７０について、図２〜図５を参照しつつ説明する。また、複数のコンベアフレーム１０Ａ〜１０Ｆは、基本的には同様の構成を有するので、以下、特に区別しない場合には、代表符号「１０」として説明する。
屈伸部７０は、図２に示すように、隣接して配置されるコンベアフレーム１０の端部に設定され、本実施形態においては、各折り返し点Ｐ１〜Ｐ６にて、斜面対向方向から見て千鳥形状に折り返されている。屈伸部７０は、インクライン斜面Ｓの高さ方向にて隣接して配置されるコンベアフレーム１０相互を伸縮するように機能する。
【００３３】
屈伸部７０は、図３に要部の断面図を示すように、軸線がインクライン斜面Ｓに対して直交方向に延びるように配置される回動支軸７２を備える。回動支軸７２は、その上端が隣り合うコンベアフレーム１０の天板１１に上部軸受７３を介して一方が固定され他方が回転自在に支持され、下端が隣り合うコンベアフレーム１０の底板１２に一方が固定され他方が下部軸受７４を介して回転自在に支持されている。
【００３４】
各屈伸部７０には、回動支軸７２のそれぞれに、上下で一対をなして配置される往路用プーリ７５および復路用プーリ７６が設けられている。また、各コンベアフレーム１０の往路および復路の途中部分には、搬送方向に離隔して適所に搬送案内部６０が設けられている。
【００３５】
各屈伸部７０には、同図（ａ）に示すように、天板１１の上面に駆動モータ７１が設けられている。駆動モータ７１の出力軸は、カップリング７７を介して回動支軸７２の上端に連結されている。回動支軸７２は、往路用プーリ７５に対しては、往路用プーリ７５の中心に設けられたキー結合ボス部７８にキー結合されている。一方、復路用プーリ７６に対しては、復路用プーリ７６の中心に設けられた軸受介装ボス部７９に軸受を介して回転自在に支持されている。
これにより、本実施形態のコンベヤ装置１は、各回動支軸７２に設けられた往路用プーリ７５を駆動プーリとし、復路用プーリ７６を連れ回りする従動プーリとして構成されるとともに、複数の駆動モータ７１が分散配置され、分散型の駆動機構を構成している。
【００３６】
本実施形態のコンベヤベルト５０は、幅方向で二つ折りされた屈曲状態で千鳥状の搬送経路に沿って各折り返し点Ｐ１〜Ｐ６の往路用プーリ７５の外周に順に上縁部５２が支持されるように巻回される。コンベヤベルト５０の上縁部５２は、同図（ｂ）に示すように、一方側の凸端部５２ａと他方側の凸端部５２ｂとで構成され、幅方向に二つ折りされた屈曲状態において、両凸端部５２ａ、５２ｂの凸の側が同じ側を向いて並ぶように形成されている。なお、両凸端部５２ａ、５２ｂの内部には、ワイヤが埋入されている。
【００３７】
また、往路用プーリ７５すべての外周面にも、断面台形形状に形成されたコンベヤベルト５０の両凸端部５２ａ、５２ｂが嵌合される、断面台形形状に形成された凹部が円環状に形成され嵌合される。そのため、コンベヤベルト５０の上縁部５２は、凹凸嵌合による適切な摩擦力によって往路用プーリ７５の外周面で支持されながら駆動され、コンベヤベルト５０は確実に無限循環することができる。なお、本実施形態では、復路用プーリ７６は従動プーリであるため、その外周面は平滑な面とされたフラットプーリが採用されている。
【００３８】
なおまた、往路用プーリ７５および復路用プーリ７６は、回動支軸７２と比較して極めて大きな直径を有する。そのため、往路用プーリ７５および復路用プーリ７６の外周を案内されるコンベヤベルト５０の曲率は小さいため、コンベヤベルト５０の走行抵抗を小さくできる。
【００３９】
コンベヤベルト５０は、幅方向で二つ折りされた屈曲状態で千鳥状の搬送経路に沿って各折り返し点Ｐ１〜Ｐ６の復路用プーリ７６の外周に順に上縁部５２の平坦側の面が支持されるように巻回される。また、コンベヤベルト５０は、搬送経路の上方側に位置するヘッド部４１と搬送経路の下方側に位置するテール部４２とのそれぞれの折り返し位置Ｒｈ、Ｒｔで折り返される。
【００４０】
また、千鳥搬送部４０において、幅方向に二つ折りされた屈曲状態のコンベヤベルト５０の上縁部は、複数の搬送案内部６０によって支持されている。各搬送案内部６０は、図４に要部の断面を示すように、天板１１の裏面に取り付けられたブラケット６１と、ブラケット６１外側の位置に取り付けられた円筒状の外側支持ローラ６２と、外側支持ローラ６２に対してブラケット６１内側下方の位置に斜めに取り付けられた円筒状の内側支持ローラ６３と、を有する。
【００４１】
屈曲状態のコンベヤベルト５０の上縁部５２は、外側支持ローラ６２と内側支持ローラ６３とで両側から挟持される。なお、上縁部５２の上方に、更に、補助ローラを回転可能に支持し、この補助ローラによって、コンベヤベルト５０の上縁部５２が上方へ移動した際に当該上縁部５２を案内するように構成してもよい。このような補助ローラを設ければ、コンベヤベルト５０の上縁部５２が上方へ移動するような場合であっても、コンベヤベルト５０の走行を円滑に案内する上で好適である。
【００４２】
ヘッド部４１の折り返し位置Ｒｈには、図５に模式図を示すように、ヘッド側折り返しプーリ４１ｐが設けられている。ヘッド側折り返しプーリ４１ｐは、プーリ支持部材にて回転可能に支持され、当該折り返し位置Ｒｈでコンベヤベルト５０を張設するように支持しつつ案内する。ヘッド部４１の搬送路の途中部分の適所は、上記搬送案内部６０によって所定の離隔距離にて支持されている。
さらに、往路側におけるヘッド部４１の近傍に、コンベヤベルト５０を幅方向に拡幅展開する投入部４１ｎが設けられており、投入部４１ｎの上方からＣＳＧ混合物を投入可能になっている。
【００４３】
テール部４２の折り返し位置Ｒｔには、図２に示すように、テール側折り返しプーリ４２ｐが設けられている。テール側折り返しプーリ４２ｐは、プーリ支持部材４４にて回転可能に支持され、当該折り返し位置Ｒｔでコンベヤベルト５０を張設するように支持しつつ案内する。
そして、テール側折り返しプーリ４２ｐによりコンベヤベルト５０が幅方向に拡幅展開され、ＣＳＧ混合物をスプレッダＣに向けて受け渡し可能になっている。さらに、折り返し位置Ｒｔの復路側近傍には、不図示の反転装置が設けられており、この反転装置によって往路側での紡錘状垂下姿勢と同じ姿勢（但し、図３に示したように、内外の面の向きは逆方向）になるようにコンベヤベルト５０の天地が反転されて幅方向に二つ折りの屈曲状態とされ、復路側に送り出されるようになっている。このようにして、コンベヤベルト５０は、駆動モータ７１が駆動している限り往路側と復路側を繰り返し無限循環されるようになっている。
【００４４】
さらに、このコンベヤ装置１は、図２に示すように、各屈伸部７０に対して、隣接されたコンベアフレーム１０相互を屈伸部７０の位置で下方から支持する支持台車２０、３０を有する。本実施形態の支持台車２０、３０は、ケーブルＷの巻回によって斜面に沿って移動可能に構成されている。
【００４５】
詳しくは、複数のコンベアフレーム１０Ａ〜１０Ｆは、複数の屈伸部７０の位置で折り返された千鳥姿勢Ｚで斜面に沿って配置される。各屈伸部７０の位置に、支持台車２０、３０がそれぞれ配置される。
複数の支持台車２０、３０は、斜面に沿って千鳥状に折り返された千鳥姿勢Ｚに対して、斜面に沿って一方の側（同図右側）に並ぶ屈伸部７０を支える第一の台車２０と、斜面に沿って他方の側（同図左側）に並ぶ屈伸部を支える第二の台車３０と、を有する。
【００４６】
第一の台車２０は、一方の側に並ぶ屈伸部７０の下部にてコンベアフレーム１０を載置する載置台２１と、載置台２１の下面に斜面勾配方向に離隔して設けられた二基の車台２２と、各車台の左右に車軸回りに回転自在にそれぞれ設けられたホイル２３とを有し、斜面の上下方向に形成された軌道ＴＲ上に沿って移動可能に設けられている。
【００４７】
第二の台車３０は、他方の側に並ぶ屈伸部７０の下部にてコンベアフレーム１０を載置する載置台３１と、載置台３１の下面に斜面勾配方向に離隔して設けられた二基の車台３２と、各車台の左右に車軸回りに回転自在に且つ軌道ＴＲの延在方向と直交する方向にも移動可能にそれぞれ設けられたオムニホイル３３とを有する。
これにより、第二の台車３０は、第一の台車２０が移動したとき、千鳥姿勢Ｚに折り返された複数のコンベアフレーム１０Ａ〜１０Ｆの折り返し角度が変わったときに、斜面に沿って移動するとともに第一の台車用の軌道ＴＲの延在方向と直交する方向にも移動可能に設けられている。
【００４８】
次に、上述したコンベヤ装置１により、ダムの堤体を施工する方法について説明する。
コンベヤ装置１により、コンベヤベルト５０の往路側におけるヘッド部４１で、折り返し位置Ｒｈの近傍に設けられた投入部４１ｎでコンベヤベルト５０が幅方向に拡幅展開された展開状態となったところで、バッチャプラントからＣＳＧ混合物がコンベヤベルト５０上に載置される。次いで、コンベヤベルト５０が幅方向で二つ折りされた屈曲状態となったときに、載置されたＣＳＧ混合物は、コンベヤベルト５０により囲繞するように保持される。
【００４９】
コンベヤベルト５０は、幅方向で二つ折りされた屈曲状態で、各折り返し点Ｐ１〜Ｐ６の往路用プーリ７５の各外周を順に案内されて、各折り返し点Ｐ１〜Ｐ６で搬送経路の向きを屈伸部７０の折り返し角に応じて変えつつ、複数のコンベアフレーム１０Ａ〜１０Ｆに沿って千鳥状に下降するように、ＣＳＧ混合物が搬送される。
【００５０】
各コンベアフレーム１０の途中部分では、往路側において、幅方向で二つ折りされた屈曲状態のコンベヤベルト５０の上縁部５２は、複数の搬送案内部６０で支持されているため、コンベヤベルト５０の屈曲状態は確実に維持される。
【００５１】
そして、ＣＳＧ混合物は、コンベヤベルト５０によって保持状態が維持されたまま千鳥搬送部４０を各折り返し点Ｐ１〜Ｐ６で搬送経路の向きを屈伸部７０の折り返し角に応じて変えつつ、千鳥搬送部４０を千鳥状に下降してテール部４２に搬送される。
【００５２】
テール部４２では、ＣＳＧ混合物は、折り返し位置Ｒｔでコンベヤベルト５０が幅方向に展開状態となったときに、コンベヤベルト５０からスプレッダＣへと取り出される。ＣＳＧ混合物が取り出されたコンベヤベルト５０は、テール側折り返しプーリ４２ｐで展開状態のまま折り返されて方向転換する。その後、折り返し位置Ｒｔの復路側近傍に設けられた反転装置によって往路側での紡錘状垂下姿勢と同じ姿勢になるように天地が反転されて幅方向に二つ折りの屈曲状態とされ、千鳥搬送部４０の往路側に送り出される。
【００５３】
更に、千鳥搬送部４０では各折り返し点Ｐ１〜Ｐ１で搬送経路の向きを屈伸部７０での屈伸角に応じて変えつつ千鳥状に上昇し、ヘッド部４１に搬送されて元の位置に戻る。これにより、折り返し位置ＲｔでＣＳＧ混合物をコンベヤベルト５０から降ろして連続的にＣＳＧ混合物を搬送できる。
【００５４】
本実施形態のコンベヤ装置１によれば、コンベヤベルト５０が、往路側及び復路側とも、折り返し位置Ｒｈ、Ｒｔとその近傍を除く搬送中において、幅方向に二つ折りの屈曲状態となっており、ＣＳＧ混合物は、屈曲状態のコンベヤベルト５０により囲繞するように保持されるので、インクライン斜面Ｓでの荷こぼれを防止又は抑制できる。また、ＣＳＧ混合物が屈曲状態のコンベヤベルト５０により囲繞するように保持されるので、ＣＳＧ混合物を搬送中に緊急停止したとしても荷こぼれのおそれはない。
【００５５】
また、本実施形態のコンベヤ装置１によれば、コンベヤベルト５０が、往路側及び復路側とも、折り返し位置屈曲状態とその近傍を除く搬送中において、幅方向に二つ折りの屈曲状態となっているので、往路側においてＣＳＧ混合物を搬送し、ＣＳＧ混合物が除かれた復路側において資材などの他の部材を搬送することもできる。
また、本実施形態のコンベヤ装置１によれば、各屈伸部７０にて往路用プーリ７５および復路用プーリ７６をそれぞれ駆動する駆動モータ７１が複数箇所に分散して配置されているので、コンベヤベルト５０の張力を小さくできる。
【００５６】
ここで、台形ＣＳＧダムでは、コンベア装置１を用いて砂礫、結合材および水が混合されたＣＳＧ混合物を搬送する搬送工程と、その搬送されたＣＳＧ混合物を敷均する敷均工程と、その敷均されたＣＳＧ混合物を締め固める締固工程と、を繰り返すことによりＣＳＧ混合物を層状に積み上げて台形ＣＳＧダムの堤体を施工する。
【００５７】
このような台形ＣＳＧダムの堤体の施工に際し、堤体が所定高さまで打設する度に、階層的な打設作業が行われる。よって、堤体が段階的に積層されていく工程に応じてコンベア装置の配置変更を行いつつ、ＣＳＧ混合物を如何に効率良く搬送できるか否かが重要である。
【００５８】
これに対し、従来のコンベヤ装置は、例えば図１０に一例を示すコンベヤ装置１００のように、各コンベアフレーム１００ａ〜１００ｆが独立しており、それぞれが支持ベースに支持されるとともにそれぞれにコンベヤベルトが掛け回されたコンベヤ装置として構成されていた。
【００５９】
そのため、隣り合うコンベアフレーム間では乗り継ぎ部Ｎ１〜Ｎ６が設けられ、同図中の要部拡大図に示すように、各乗り継ぎ部Ｎ１〜Ｎ６にて荷の乗り継ぎが必要となる。なお、要部拡大図では、コンベアフレーム１００ｄのコンベヤベルト１５０ｄからコンベアフレーム１００ｅのコンベヤベルト１５０ｅに乗り継ぎが行われる乗り継ぎ部Ｎ５を示している。
【００６０】
また、各コンベアフレーム１００ａ〜１００ｆが支持ベースで地上に固定されているので、堤体施工の際に、堤体が段階的に積層されていく工程に応じてコンベア装置１００の配置変更を行う場合には、各コンベアフレームの撤去作業が生じ、また、ヘッドまたはテールの配置位置を一定に管理することが困難であった。
【００６１】
一方、例えば特許文献３に開示されるコンベア装置を用い、図９に示す比較例として示すコンベヤ装置１ｈのように、複数コンベアフレーム１０ａ〜１０ｆ相互の折り返し位置Ｐａ〜Ｐｆの並びを千鳥状の構成とすることも考えられる。特許文献３に開示されるコンベア装置を用いれば、同図中の要部拡大図に示すように、各折り返し位置Ｐａ〜Ｐｆにて荷の乗り継ぎが不要となる。なお、要部拡大図では、折り返し位置Ｐｅにて、コンベアフレーム１０ｄからコンベアフレーム１０ｅに乗り継ぎなくコンベアベルトが循環されるイメージを示している。
【００６２】
このように、特許文献３に開示されるコンベア装置を用いれば、隣り合うコンベアフレーム相互でＣＳＧ混合物を連続的に搬送できるものの、複数の折り返し位置Ｐａ〜Ｐｆでの搬送経路が固定されているため、コンベア装置１ｈの搬送経路の配置変更に際し、堤体の高さに応じてヘッドまたはテールの配置位置を所定に位置させつつ荷を搬送する上では検討の余地が残される。
【００６３】
これに対し、本実施形態のコンベヤ装置１によれば、二基以上のコンベアフレーム１０Ａ〜１０Ｆのうち、隣接して配置されるコンベアフレーム１０相互を相互の端部の位置にてコンベア設置面に対して直交する軸まわりで回動可能に連結する屈伸部７０を備えるので、屈伸部７０によって隣接して配置されるコンベアフレーム１０相互の配置姿勢を屈伸できる。そのため、ヘッド部４１またはテール部４２の配置位置を所定に位置させつつ荷を効率良く搬送できる。
【００６４】
つまり、本実施形態のコンベヤ装置１の屈伸部７０は、コンベアフレーム１０相互を相互の端部の位置にてコンベア設置面に対して直交する軸まわりで回動可能に連結しており、その連結状態は、いずれか一方のコンベアフレーム１０の端部の位置を移動すれば、いずれか他方の端部の位置も一体で移動するように繋がれている。そのため、本実施形態のようなダム施工に適用する場合において、図１に示したように、二基以上の複数のコンベアフレーム１０Ａ〜１０Ｆを、インクライン斜面Ｓに沿って千鳥姿勢に配置すれば、複数の屈伸部７０によって斜面方向にてコンベアフレーム１０Ａ〜１０Ｆ全体を伸縮できる。
そのため、斜面に沿って複数のコンベアフレーム１０Ａ〜１０Ｆを移動しつつも、コンベア装置１の、ヘッド部４１またはテール部４２の配置位置（この例ではヘッド部４１を一定とし、テール部４２を堤体施工高さに応じて所定に移動）を所定に管理できる。
【００６５】
また、本実施形態のコンベヤ装置１によれば、屈伸部７０に対して、隣接されたコンベアフレーム１０相互を屈伸部７０の位置で下方から支持する支持台車２０、３０を有し、支持台車２０、３０は、ケーブルＷの巻回によって移動可能に構成されているので、複数の屈伸部７０を、隣接されたコンベアフレーム１０相互を相互の端部の位置で回動可能に連結するとともに所望する方向に沿って千鳥姿勢に支持しつつ伸縮させる構成として好適である。
【００６６】
特に、本実施形態のコンベヤ装置１によれば、複数のコンベアフレーム１０Ａ〜１０Ｆは、複数の屈伸部７０の位置で折り返された千鳥姿勢で斜面に沿って配置され、各屈伸部７０の位置に支持台車２０、３０がそれぞれ配置され、複数の支持台車２０、３０は、斜面に沿って千鳥状に折り返された千鳥姿勢に対して、斜面に沿って一方の側に並ぶ屈伸部７０を支える第一の台車２０と、斜面に沿って他方の側に並ぶ屈伸部７０を支える第二の台車３０と、を有するので、所望する斜面の方向に沿って千鳥姿勢に支持しつつ円滑に伸縮させる構成として好適である。
【００６７】
そして、第一の台車２０は、斜面の上下方向に形成された軌道ＴＲ上に沿って移動可能に設けられ、第二の台車３０は、第一の台車２０が移動したとき、千鳥姿勢に折り返された複数のコンベアフレーム１０Ａ〜１０Ｆの折り返し角度が変わったときに、斜面に沿って移動するとともに第一の台車用の軌道ＴＲの延在方向と直交する方向にも移動可能に設けられているので、所望する斜面の方向に沿って千鳥姿勢に支持しつつ円滑に伸縮させる構成としてより好適である。
【００６８】
つまり、複数の屈伸部７０にて屈伸して千鳥姿勢に支持する複数のコンベアフレーム１０Ａ〜１０Ｆを伸縮する際、図８に模式図を示すように、千鳥姿勢の幅員が変わることになるものの、このような構成であれば、コンベアフレーム１０Ａ〜１０Ｆの一方側（同図右側）の屈伸部７０を基準支持端とし、他方側（同図左側）の屈伸部７０をスライド移動可能な自由支持端とすることで幅員変動に対応できる。
【００６９】
よって、本実施形態のような台形ＣＳＧダムでのＣＳＧ工法に適用する場合に、図６に短縮状態の例を示すように、堤体が段階的に積層されていく工程に応じてヘッド部４１またはテール部４２の配置位置を所定に位置させつつ、ＣＳＧ混合物を効率良く搬送できる。したがって、大規模ダムをはじめとするダム堤体の施工において、施工効率を向上させるとともに施工コストを低減させることができる。
【００７０】
特に、本実施形態のコンベヤ装置１によれば、屈伸部７０は、隣接されたコンベアフレーム１０相互を相互の端部の位置で回動可能に支持する回動支軸７２と、回動支軸７２に設けられてコンベアベルト５０をコンベアフレーム１０Ａ〜１０Ｆに沿って循環させる往路用プーリ７５および復路用プーリ７６と、を有するので、コンベアベルト５０を循環可能に配置しつつ、複数のコンベアフレーム１０Ａ〜１０Ｆを所望する方向に沿って伸縮に支持する構成として好適である。
【００７１】
また、本実施形態のコンベヤ装置１によれば、各屈伸部７０は、駆動部である駆動モータ７１と、駆動モータ７１により回転可能に設けられて隣接されたコンベアフレーム１０相互を相互の端部の位置で回動可能に支持する回動支軸７２と、駆動モータ７１の駆動軸または回動支軸７２に設けられて駆動モータ７１の駆動によりコンベアベルト５０をコンベアフレーム１０Ａ〜１０Ｆに沿って循環させる往路用プーリ７５および復路用プーリ７６と、を有するので、コンベアベルト５０を循環可能に配置しつつ、複数のコンベアフレーム１０Ａ〜１０Ｆを所望する方向に沿って伸縮に支持し、さらに、駆動部を分散配置できるので、コンベアベルト５０の最大張力を下げる上で好適である。
【００７２】
また、本実施形態のコンベヤ装置１によれば、コンベアベルト５０は、複数のコンベアフレーム１０Ａ〜１０Ｆ全体に掛け回される無端状ベルトであり、自身幅方向で二つ折りされて横断面視が紡錘形状とされた屈曲状態で往路用プーリ７５に自身上縁部５２が支持されるように巻回されるとともに復路用プーリ７６に自身上縁部５２が支持されるように巻回され、さらに、当該コンベア装置１のヘッド部４１およびテール部４２それぞれの折り返し位置Ｒｈ、Ｒｔで自身幅方向に展開された展開状態で循環するように掛け回されているので、荷であるＣＳＧ混合物を連続搬送する際に、急こう配での搬送に際しても荷こぼれを確実に防止できる。そのため、ダム堤体の施工に適用するときに、バッチャプラントＢからインクライン斜面Ｓを利用してＣＳＧ混合物を搬送する際に好適である。
【００７３】
このように、本実施形態のコンベヤ装置１によれば、複雑な装置構成とすることなく、インクライン斜面ＳでＣＳＧ混合物を乗換えなく連続搬送できる。そして、１台のコンベヤ装置１で、コンベア装置の搬送経路の配置変更に際し、ダム堤体の施工高さに応じてヘッド部４１およびテール部４２の配置位置を所定に位置させつつ荷であるＣＳＧ混合物を効率良く連続搬送できる。
【００７４】
以上説明したように、本実施形態のコンベヤ装置１によれば、コンベア装置の配置変更に際し、ヘッドまたはテールの配置位置を所定に位置させつつ荷を効率良く搬送できる。なお、本発明に係るコンベヤ装置は、上記実施形態に限定されるものではなく、本発明の趣旨を逸脱しなければ種々の変形が可能である。
【００７５】
例えば、上記実施形態ではダムの堤体施工の例を説明したが、これに限定されず、コンベヤ装置１は、ダムの堤体施工のみならず、トンネル工事において立坑もしくは斜坑を介して地下掘削現場から掘削した土砂を、立坑もしくは斜坑を通じて地上部に搬出する際に用いる場合や、石炭などの貯蔵物を貯蔵するサイロへの貯蔵物の搬送にも用いることができる。
【００７６】
また、上記実施形態では、コンベアフレーム１０の折り返し形状が千鳥形状とされた例で説明したが、これに限定されず、コンベアフレーム１０の折り返し形状は、その他の多角形形状であってもよい。
つまり、コンベアフレーム１０の折り返し点Ｐ１〜Ｐ６は、上方から見て千鳥形状の端部に設定される必要は必ずしもない。例えば、上方から見てコンベアフレーム１０を多角形形状の配置としたり、Ｚ字形状の配置としたりすることができ、その配置における端部に屈伸部７０が設定されてもよい。
【００７７】
また、上記実施形態のように、インクライン斜面Ｓに配置する場合であっても、コンベアフレーム１０は、インクライン斜面Ｓの斜面方向に延びるように配置されるとともに、屈伸部７０によって伸縮される形状を有すればよく、必ずしも、複数の回動支軸７２を上方から見て千鳥形状となるように配置する必要はない。
【００７８】
また、千鳥搬送部における屈伸部７０によって伸縮される形状は、搬送経路に応じて調整すればよく、往路用プーリ７５及び復路用プーリ７６の数は、それぞれ上記例示をした７つに限らず、千鳥状の搬送経路とその経路における配置ピッチとによって適宜決定できることは勿論である。
【００７９】
また、搬送案内部６０の構造は、上述した例に限定されない。例えば下方が支持されたブラケットに複数のローラを二つに折り返されるコンベヤベルト５０の外周に沿うように配置してもよい。また、ガイドプーリは、上下で一対をなして配置される場合のみならず、左右に並列して配置されてもよい。
【００８０】
また、駆動モータ７１は、各屈伸部７０に配置されている例で説明したが、これに限らず、駆動モータ７１は、複数の屈伸部７０に適宜配置できる。例えば、駆動モータ７１を有する屈伸部７０と、駆動モータ７１を有しない屈伸部７０と、を交互に配置してもよい。また、通常のベルトコンベアのように、ヘッドまたはテールに駆動部を設けてもよい。
【００８１】
また、上記実施形態では、屈伸部７０に対して、隣接されたコンベアフレーム１０相互を屈伸部７０の位置で下方から支持する支持台車２０、３０を有し、支持台車２０、３０は、ケーブルＷの巻回によって移動可能に構成されている例で説明したが、これに限らず、隣接されたコンベアフレーム１０相互を垂下式に支持するように構成してもよい。このような構成であれば、ダム堤体の施工以外に、例えばトンネル工事において、本発明に係る屈伸型のコンベア装置を天井から垂下するように配置することができるため、コンベア装置の下方にトラック等の作業車両を走行させることもできる。
【００８２】
また、コンベアベルト５０は、二基以上のコンベアフレーム１０全体に掛け回される無端状ベルトを例に説明したが、これに限らず、各コンベアフレーム１０毎に掛け回される構成としてもよい。また、コンベアベルト５０は、自身幅方向で二つ折りされて横断面視が紡錘形状とされた屈曲状態とされる例で説明したがこれに限らず、通常のベルトコンベアのように平坦なベルトを用いてもよい。
【００８３】
以下、このような他の実施形態の構成例について図１１を参照して説明する。
同図に示すように、このコンベア装置は、矩形枠体状に形成された二基のコンベアフレーム１０Ｕ、１０Ｌと、各コンベアフレーム１０Ｕ、１０Ｌに沿って荷を搬送可能に掛け回された平型のコンベアベルト５０Ｕ、５０Ｌと、隣接して配置されるコンベアフレーム１０Ｕ、１０Ｌ相互を相互の端部の位置にてコンベア設置面に対して直交する軸まわりで回動可能に連結する屈伸部７０Ｘと、を備える。各コンベアフレーム１０Ｕ、１０Ｌは、不図示の駆動部により駆動される駆動プーリ７８、７９を有し、それぞれに掛け回された平型のコンベアベルト５０Ｕ、５０Ｌを搬送方向に駆動可能になっている。
【００８４】
屈伸部７０Ｘに対して、隣接されたコンベアフレーム１０Ｕ、１０Ｌ相互を屈伸部７０Ｘの位置で下方から支持する支持台車２０Ｘが設けられている。支持台車２０Ｘは、下側のコンベアフレーム１０Ｌの端部下面に自身上面が固定される載置台２１ｂと、載置台２１ｂの下面に走行方向の前後に設けられた二基の車台２２ｂと、各車台の左右に回転自在に設けられたホイル２３ｂとを有する。
【００８５】
当該他の実施形態の屈伸部７０Ｘは、下側のコンベアフレーム１０Ｌの端部の位置に複数の支柱１３Ｘが立設されており、複数の支柱１３Ｘの上部に、円環状のターンテーブル２１ｓが設けられることで構成されている。円環状のターンテーブル２１ｓは、複数の支柱１３Ｘの上部に固定される第一環状部と、第一環状部を上部から覆うようにベアリングを介して回転自在に嵌め合わされた第二環状部とを有して構成されており、第二環状部の上面が上側のコンベアフレーム１０Ｕの下面に固定されている。
【００８６】
このような他の実施形態の構成であっても、隣接して配置されるコンベアフレーム１０Ｕ、１０Ｌ相互を相互の端部の位置にてコンベア設置面に対して直交する軸まわりで回動可能に連結する屈伸部７０Ｘを備えるので、各コンベアベルト５０Ｕ、５０Ｌを各コンベアフレーム１０Ｕ、１０Ｌに沿って循環させつつ、屈伸部７０Ｘによって隣接して配置されるコンベアフレーム１０Ｕ、１０Ｌ相互の配置姿勢をコンベア設置面に沿って屈伸させることができる。そのため、ヘッドまたはテールの配置位置を所定に位置させつつ荷を効率良く搬送できる。
【符号の説明】
【００８７】
１    コンベア装置
１０（１０Ａ〜１０Ｆ）    コンベアフレーム
１１    天板
１２    底板
１３    支柱
１４    装着部
２０    支持台車（第一の台車）
２１    載置台
２２    車台
２３    ホイル
３０    支持台車（第二の台車）
３１    載置台
３２    車台
３３    オムニホイル
４０    千鳥搬送部
４１    ヘッド部
４２    テール部
４１ｐ    ヘッド側折り返しプーリ
４２ｐ    テール側折り返しプーリ
４３    プーリ支持部材
５０    コンベアベルト（無端状ベルト）
５１    ベルト本体部
５２    上縁部
５５    ワイヤ
６０    搬送案内部
６１    ブラケット
６２    外側支持ローラ
６３    内側支持ローラ
６４    補助ローラ
７０（７０Ａ〜７０Ｆ）    屈伸部
７１    駆動モータ（駆動部）
７２    回動支軸
７３    上部軸受
７４    下部軸受
７５    往路用プーリ
７６    復路用プーリ
７７    カップリング
７８    キー結合ボス部
７９    軸受介装ボス部
Ｒｈ    ヘッドの折り返し位置
Ｒｔ    テールの折り返し位置
Ｓｅ    伸長状態
Ｓｂ    短縮状態
Ｚ    千鳥姿勢
Ｌ    インクライン設備
Ｂ    バッチャプラント
Ｃ    スプレッダ
Ｔ    堤体
Ｗ    ケーブル
Ｓ    インクライン斜面
Ｋ    （スプレッダの）行道
ＴＲ    軌道
Ｒ    レール
Ｈ    舗道
【図１】
2020055688.tif 000003
【図２】
2020055688.tif 000004
【図３】
2020055688.tif 000005
【図４】
2020055688.tif 000006
【図５】
2020055688.tif 000007
【図６】
2020055688.tif 000008
【図７】
2020055688.tif 000009
【図８】
2020055688.tif 000010
【図９】
2020055688.tif 000011
【図１０】
2020055688.tif 000012
【図１１】
2020055688.tif 000013